【手続補正書】
【提出日】平成18年3月31日(2006.3.31)
【手続補正１】
【補正対象書類名】特許請求の範囲
【補正対象項目名】全文
【補正方法】変更
【補正の内容】
【特許請求の範囲】
【請求項１】
再生信号を入力する信号入力部と、
クロック信号に基づいて前記再生信号を多ビットデジタル信号に変換するアナログデジタル変換部と、
前記多ビットデジタル信号を２値化信号へ変換する最尤復号部と、
前記２値化信号のパターンを検出するパターン検出部と、
前記検出した結果に基づいて、前記多ビットデジタル信号と前記クロック信号とが同期しているか否かを判定する判定部と、
前記検出した結果に基づいて前記クロック信号の周波数および位相のうちの少なくとも一方を調整し、前記調整したクロック信号を出力するクロック発信部と
を備え、
前記最尤復号部は、前記多ビットデジタル信号と前記クロック信号とが同期していることを前記判定した結果が示す場合には、第１状態遷移則に基づいて２値化信号を生成し、前記多ビットデジタル信号と前記クロック信号とが同期していないことを前記判定した結果が示す場合には、第２状態遷移則に基づいて２値化信号を生成する、周波数位相制御装置。
【請求項２】
前記第１状態遷移則は、所定の符号規則によって規定されている第１最小反転間隔に基づいて状態数および状態遷移パス数が制限されており、
前記第２状態遷移則は、前記第１最小反転間隔よりも短い第２最小反転間隔に基づいて状態数および状態遷移パス数が制限されている、請求項１に記載の周波数位相制御装置。
【請求項３】
前記第１最小反転間隔は２であり、
前記第２最小反転間隔は１であり、
前記第１状態遷移則は、最小反転間隔が２である記録符号とＰＲ（ａ、ｂ、ｂ、ａ）方式との組み合わせに基づいた６個の状態と１０個の状態遷移パスとを含み、
前記第２状態遷移則は、最小反転間隔が１である記録符号とＰＲ（ａ、ｂ、ｂ、ａ）方式との組み合わせに基づいた８個の状態と１６個の状態遷移パスとを含む、請求項２に記載の周波数位相制御装置。
【請求項４】
前記第１最小反転間隔は３であり、
前記第２最小反転間隔は１であり、
前記第１状態遷移則は、最小反転間隔が３である記録符号とＰＲ（ａ、ｂ、ｂ、ａ）方式との組み合わせに基づいた６個の状態と８個の状態遷移パスとを含み、
前記第２状態遷移則は、最小反転間隔が１である記録符号とＰＲ（ａ、ｂ、ｂ、ａ）方式との組み合わせに基づいた８個の状態と１６個の状態遷移パスとを含む、請求項２に記載の周波数位相制御装置。
【請求項５】
前記第１最小反転間隔は２であり、
前記第２最小反転間隔は１であり、
前記第１状態遷移則は、最小反転間隔が２である記録符号とＰＲ（ａ、ｂ、ａ）方式との組み合わせに基づいた４個の状態と６個の状態遷移パスとを含み、
前記第２状態遷移則は、最小反転間隔が１である記録符号とＰＲ（ａ、ｂ、ａ）方式との組み合わせに基づいた４個の状態と８個の状態遷移パスとを含む、請求項２に記載の周波数位相制御装置。
【請求項６】
前記第１最小反転間隔は３であり、
前記第２最小反転間隔は１であり、
前記第１状態遷移則は、最小反転間隔が３である記録符号とＰＲ（ａ、ｂ、ａ）方式との組み合わせに基づいた４個の状態と６個の状態遷移パスとを含み、
前記第２状態遷移則は、最小反転間隔が１である記録符号とＰＲ（ａ、ｂ、ａ）方式との組み合わせに基づいた４個の状態と８個の状態遷移パスとを含む、請求項２に記載の周波数位相制御装置。
【請求項７】
前記第１最小反転間隔は２であり、
前記第２最小反転間隔は１であり、
前記第１状態遷移則は、最小反転間隔が２である記録符号とＰＲ（ａ、ｂ、ｃ、ｂ、ａ）方式との組み合わせに基づいた１０個の状態と１６個の状態遷移パスとを含み、
前記第２状態遷移則は、最小反転間隔が１である記録符号とＰＲ（ａ、ｂ、ｃ、ｂ、ａ）方式との組み合わせに基づいた１６個の状態と３２個の状態遷移パスとを含む、請求項２に記載の周波数位相制御装置。
【請求項８】
前記第１最小反転間隔は３であり、
前記第２最小反転間隔は１であり、
前記第１状態遷移則は、最小反転間隔が３である記録符号とＰＲ（ａ、ｂ、ｃ、ｂ、ａ）方式との組み合わせに基づいた８個の状態と１２個の状態遷移パスとを含み、
前記第２状態遷移則は、最小反転間隔が１である記録符号とＰＲ（ａ、ｂ、ｃ、ｂ、ａ）方式との組み合わせに基づいた１６個の状態と３２個の状態遷移パスとを含む、請求項２に記載の周波数位相制御装置。
【請求項９】
前記第１最小反転間隔は３であり、
前記第２最小反転間隔は２であり、
前記第１状態遷移則は、最小反転間隔が３である記録符号とＰＲ（ａ、ｂ、ｂ、ａ）方式との組み合わせに基づいた６個の状態と８個の状態遷移パスとを含み、
前記第２状態遷移則は、最小反転間隔が２である記録符号とＰＲ（ａ、ｂ、ｂ、ａ）方式との組み合わせに基づいた６個の状態と１２個の状態遷移パスとを含む、請求項２に記載の周波数位相制御装置。
【請求項１０】
前記第１最小反転間隔は３であり、
前記第２最小反転間隔は２であり、
前記第１状態遷移則は、最小反転間隔が３である記録符号とＰＲ（ａ、ｂ、ａ）方式との組み合わせに基づいた４個の状態と６個の状態遷移パスとを含み、
前記第２状態遷移則は、最小反転間隔が２である記録符号とＰＲ（ａ、ｂ、ａ）方式との組み合わせに基づいた４個の状態と６個の状態遷移パスとを含む、請求項２に記載の周波数位相制御装置。
【請求項１１】
前記第１最小反転間隔は３であり、
前記第２最小反転間隔は２であり、
前記第１状態遷移則は、最小反転間隔が３である記録符号とＰＲ（ａ、ｂ、ｃ、ｂ、ａ）方式との組み合わせに基づいた８個の状態と１２個の状態遷移パスとを含み、
前記第２状態遷移則は、最小反転間隔が２である記録符号とＰＲ（ａ、ｂ、ｃ、ｂ、ａ）方式との組み合わせに基づいた１０個の状態と１６個の状態遷移パスとを含む、請求項２に記載の周波数位相制御装置。
【請求項１２】
前記判定部は、前記検出されたパターンに含まれる複数の同期パターン同士の間隔が、所定回数連続して規定の値である場合には、前記多ビットデジタル信号と前記クロック信号とが同期していると判定し、
前記判定部は、前記検出されたパターンに含まれる複数の同期パターン同士の間隔が、所定回数連続して規定の値でない場合には、前記多ビットデジタル信号と前記クロック信号とが同期していないと判定する、請求項１に記載の周波数位相制御装置。
【請求項１３】
再生信号を入力する信号入力部と、
クロック信号に基づいて前記再生信号を多ビットデジタル信号に変換するアナログデジタル変換部と、
前記多ビットデジタル信号を２値化信号へ変換する最尤復号部と、
前記２値化信号のパターンを検出するパターン検出部と、
前記検出した結果に基づいて、前記多ビットデジタル信号と前記クロック信号とが同期しているか否かを判定する判定部と、
前記検出した結果に基づいて前記クロック信号の周波数および位相のうちの少なくとも一方を調整し、前記調整したクロック信号を出力するクロック発信部と
を備えた、周波数位相制御装置。
【請求項１４】
再生信号を入力する信号入力ステップと、
クロック信号に基づいて前記再生信号を多ビットデジタル信号に変換するアナログデジタル変換ステップと、
前記多ビットデジタル信号を２値化信号へ変換する最尤復号ステップと、
前記２値化信号のパターンを検出するパターン検出ステップと、
前記検出した結果に基づいて、前記多ビットデジタル信号と前記クロック信号とが同期しているか否かを判定する判定ステップと、
前記検出した結果に基づいて前記クロック信号の周波数および位相のうちの少なくとも一方を調整し、前記調整したクロック信号を出力するクロック発信ステップと
を包含する、周波数位相制御方法。
【請求項１５】
再生信号を入力する信号入力ステップと、
クロック信号に基づいて前記再生信号を多ビットデジタル信号に変換するアナログデジタル変換ステップと、
前記多ビットデジタル信号を２値化信号へ変換する最尤復号ステップと、
前記２値化信号のパターンを検出するパターン検出ステップと、
前記検出した結果に基づいて、前記多ビットデジタル信号と前記クロック信号とが同期しているか否かを判定する判定ステップと、
前記検出した結果に基づいて前記クロック信号の周波数および位相のうちの少なくとも一方を調整し、前記調整したクロック信号を出力するクロック発信ステップと
を包含する周波数位相制御方法をコンピュータに実行させるための制御プログラム。
【請求項１６】
情報記録媒体から情報を再生する装置であって、
再生信号を入力する信号入力部と、
クロック信号に基づいて前記再生信号を多ビットデジタル信号に変換するアナログデジタル変換部と、
前記多ビットデジタル信号を２値化信号へ変換する最尤復号部と、
前記２値化信号のパターンを検出するパターン検出部と、
前記検出した結果に基づいて、前記多ビットデジタル信号と前記クロック信号とが同期しているか否かを判定する判定部と、
前記検出した結果に基づいて前記クロック信号の周波数および位相のうちの少なくとも一方を調整し、前記調整したクロック信号を出力するクロック発信部と、
前記調整したクロック信号に基づいて、前記情報記録媒体から情報を再生する再生部と、
を備えた、情報再生装置。
【請求項１７】
情報記録媒体から情報を再生する方法であって、
再生信号を入力する信号入力ステップと、
クロック信号に基づいて前記再生信号を多ビットデジタル信号に変換するアナログデジタル変換ステップと、
前記多ビットデジタル信号を２値化信号へ変換する最尤復号ステップと、
前記２値化信号のパターンを検出するパターン検出ステップと、
前記検出した結果に基づいて、前記多ビットデジタル信号と前記クロック信号とが同期しているか否かを判定する判定ステップと、
前記検出した結果に基づいて前記クロック信号の周波数および位相のうちの少なくとも一方を調整し、前記調整したクロック信号を出力するクロック発信ステップと、
前記調整したクロック信号に基づいて、前記情報記録媒体から情報を再生する再生ステップと、
を包含する、情報再生方法。
【手続補正２】
【補正対象書類名】明細書
【補正対象項目名】発明の名称
【補正方法】変更
【補正の内容】
【発明の名称】周波数位相制御装置、周波数位相制御方法、制御プログラム、情報再生装置および情報再生方法